(57)【要約】      （修正有）【課題】単体でハンドバックや化粧ポーチに入れておいて手軽に取り出すことができ、しかも多様な使い方ができる化粧用パフを提供する。【解決手段】ペン型のケース軸１内に、スティック形状に形成したスポンジパフ３を、先端のペン先部４からノック式で繰り出し可能に収納する。ケース軸は、中空筒からなり、先端にテーパ形状のペン先部がネジ結合され、後端にクリップの付いたキャップ２が嵌め込まれている。ケース軸内には、スポンジパフを保持する中スリーブ、ばね６、中チャック７が収容されている。中スリーブの先端側にチャック爪５ａが形成され、チャック爪の外面に、中チャック７が嵌められている。使用箇所に合わせて先端を適宜カットして使用することにより、常に衛生的で、しかも自分用にカスタマイズできる。【選択図】図１
0003186689.tif 000002
【実用新案登録請求の範囲】
【請求項１】
ペン型のケース軸内に、スティック形状に形成したスポンジパフを、先端のペン先部から繰り出し可能に収納したことを特徴とする化粧用パフ。
【請求項２】
前記スティック形状に形成したスポンジパフのケース軸からの繰り出し機構が、ノック式である請求項1記載の化粧用パフ。
【請求項３】
前記スポンジパフが、ＮＢＲ系ゴムスポンジからなる請求項１または２記載の化粧用パフ。
【考案の詳細な説明】
【技術分野】
【０００１】
この考案は、単体で持ち運び易く、目元等の狭小部位にも使用し易い化粧用パフに関するものである。
【背景技術】
【０００２】
化粧用パフは、ファンデーションやコンシーラー等の化粧品を皮膚に塗布したり、アイシャドウやアイブロウを塗布したり、ぼかしたりする際に使用される。
【０００３】
従来の化粧用パフは、スポンジ材料からなり、その形状は長方形や円形の薄手のシート状タイプのもの、あるいは厚手のたまご形やダイヤ形のものなど、メイクをし易いように色々な形状のものが市販されている。
【０００４】
また、下地用ファンデーションと、アクセント用ファンデーション、ルースパウダーを使い分けできるように、起毛面とスポンジ面の両面を使用可能にした化粧用パフも特許文献1に開示されている。
【先行技術文献】
【特許文献】
【０００５】
【特許文献１】特開２０１２−９５９６８号公報
【考案の概要】
【考案が解決しようとする課題】
【０００６】
ところで、従来の化粧用パフは、長方形や円形等、色々な形状のものがあるが、スポンジパフ単体をそのまま化粧用ポーチに入れると、他のものを汚したりするおそれがあるため、持ち運ぶ場合には、通常、化粧用コンパクトケースに収容している。
【０００７】
ところが、外出先で、ファンデーションのヨレを少し馴染ませたり、アイシャドウやアイブロウを少し修正したい場合に、大きな化粧用パフをハンドバックや化粧ポーチから取り出すのが面倒なことも多い。
【０００８】
このような場合、単体でハンドバックや化粧ポーチに入れておいても他のものを汚したりすることなく、しかも簡単に取り出せて、手軽に使用できる化粧用パフがあれば非常に便利である。
【０００９】
そこで、この考案は、単体でハンドバックや化粧ポーチに入れておいて手軽に取り出すことができ、しかも多様な使い方ができる化粧用パフを提供することを課題とするものである。
【課題を解決するための手段】
【００１０】
この考案の化粧用パフは、上記の課題を解決するために、ペン型のケース軸内に、スティック形状に形成したスポンジパフを、先端のペン先部から繰り出し可能に収納したものである。
【００１１】
先端のペン先部から繰り出す繰り出し機構としては、例えば、ノック式のものを採用することができる。
【考案の効果】
【００１２】
この考案に係る化粧用パフは、スティック形状に形成したスポンジパフからなり、ペン型のケース軸内に収納されているので、単体でハンドバックや化粧ポーチに入れておいて手軽に取り出して使用することができる。しかもスティック形状に形成したスポンジパフであるため、使用箇所に合わせて先端を適宜カットして使用することにより、常に衛生的で、しかも自分用にカスタマイズできる便利さを有する。
【図面の簡単な説明】
【００１３】
【図１】この考案に係るペン型の化粧用パフの構成部品を示す分解図である。
【図２】この考案に係るペン型の化粧用パフの組立て工程図である。
【図３】この考案に係るペン型の化粧用パフの内部機構を示す一部縦断面図であり、（ａ）はスティック形状のスポンジパフをケース軸に収納した状態を示し、（ｂ）は、ノック式のキャップを押してスティック形状のスポンジパフを繰り出した状態を示している。
【図４】（ａ）はケース軸から繰り出したスティック形状のスポンジパフを鋏で水平にカットした状態を示す部分拡大図、（ｂ）はケース軸から繰り出したスティック形状のスポンジパフを斜めにカットした状態を示す部分拡大図、（ｃ）はケース軸から繰り出したスティック形状のスポンジパフをＶ字形状にカットした状態を示す部分拡大図である。
【考案を実施するための形態】
【００１４】
この考案の実施形態を、図面に基づいて具体的に説明する。
【００１５】
図１〜図３に示す実施形態の化粧用パフは、キャップ２を押し込むことにより、ペン型のケース軸１の先端からスティック形状のスポンジパフ３が繰り出されるノック式のものを示している。
【００１６】
ケース軸１は、中空筒からなり、先端にテーパ形状のペン先部４がネジ結合され、後端にクリップの付いたキャップ２を出し入れ可能に嵌め込まれている。
【００１７】
ケース軸1内には、スティック形状のスポンジパフ３を保持する中スリーブ５、ばね６、中チャック７が収容されている。
【００１８】
中スリーブ５は、先端側にチャック爪５ａが形成され、後端寄りの外周面にばね受け部５ｂが形成されている。
【００１９】
中スリーブ５の先端のチャック爪５ａの外面には、中チャック７が嵌められている。
【００２０】
中チャック７は、チャック爪５ａの外周に位置してチャック爪５ａを閉じた状態に保持して、中スリーブ５内のスティック形状のスポンジパフ３の押出しを阻止し、キャップ２を押して中スリーブ５を先端側に移動させると、チャック爪５ａを開放して中スリーブ５内のスティック形状のスポンジパフ３の押出しを可能にする。
【００２１】
図１〜図３に示す実施形態の化粧用パフの組立ては、図２に示すように、まず、ばね６を中スリーブ５に嵌めてから中チャック７を先端に取り付け、その状態で、ケース軸1の後端から中スリーブ５を押し入れると、ケース軸1に、ばね６、中スリーブ５、中チャック７がセットされる。
【００２２】
この後、ケース軸１の先端にペン先部４を螺合し、ケース軸１の後端にキャップ２を挿し込み、ケース軸１内の中スリーブ５の後端にキャップ２を被せる。その後に、スポンジパフ３をペン先部４から収納することにより、組立てが完了する。
【００２３】
この状態で、図３（ａ）に示すように、化粧用パフの組立てが完了する。
【００２４】
そして、図３（ｂ）に示すように、キャップ２を押し込み、ケース軸１に対して中スリーブ５を先端側に移動させると、中スリーブ５の先端のチャック爪５ａが開放され、中スリーブ５内のスポンジパフ３がペン先部４から押し出される。
【００２５】
ペン先部４から押し出されたスポンジパフ３は、使用箇所や好みに応じて、図４（ａ）に示すように、鋏８で水平にカットして使用してもよいし、図４（ｂ）に示すように、斜め、あるいは、図４（ｃ）に示すように、Ｖ字形にカットして使用することができる。
【００２６】
スティック形状のスポンジパフ３は、例えば、ＮＢＲ系ゴムスポンジによって形成することができる。
【００２７】
また、ケース軸１は、例えば、ＡＢＳ樹脂、キャップ２は、例えば、ＰＰ樹脂、ペン先部４、中スリーブ５は、例えば、ＰＯＭ樹脂、中チャック７は、例えば、ＰＰ樹脂によって形成することができる。
【符号の説明】
【００２８】
1    ケース軸
２    キャップ
３    スポンジパフ
４    ペン先部
５    中スリーブ
５ａ  チャック爪
６    ばね
７    中チャック
【図１】
0003186689.tif 000003
【図２】
0003186689.tif 000004
【図３】
0003186689.tif 000005
【図４】
0003186689.tif 000006